(57)【特許請求の範囲】
【請求項１】
遊技球が打ち込まれる表面側にセル板が取り付けられたゲージ盤と、前記ゲージ盤が嵌め込まれるゲージ盤保持枠と、前記ゲージ盤保持枠に設けられ前記ゲージ盤が取り付けられるベース部材と、を有するパチンコ機であって、
前記ベース部材を導電性部材で成形し、
前記ゲージ盤に遊技球と前記セル板との摩擦により発生した静電気を前記ベース部材に伝達する伝達手段を設け、
前記伝達手段は、
前記ゲージ盤に前記セル板と接続して設けられ、前記打ち込まれた遊技球をゲージ盤の遊技部に誘導する導電性部材で形成されたバンドと、
導電性部材で形成され、前記バンドと接続するとともに前記ゲージ盤を前記ベース部材に取り付ける取付手段と、
で構成されたことを特徴とするパチンコ機。
【請求項２】
前記ベース部材は、前記ゲージ盤保持枠の略全体に亘って設けられていることを特徴とする請求項１に記載のパチンコ機。
【請求項３】
前記バンドは、導電性の伸縮手段を介して前記取付手段に接続していることを特徴とする請求項１又は請求項２に記載のパチンコ機。
【請求項４】
前記取付手段は、
前記ゲージ盤に設けられたリテーナーと、
前記ベース部材に設けられ、前記リテーナーを固定するハンドルと、
で構成されたことを特徴とする請求項１乃至３のいずれか１項に記載のパチンコ機。
【請求項５】
前記ベース部材は、導電性樹脂で形成されたことを特徴とする請求項１乃至４のいずれか１項に記載のパチンコ機。
【発明の詳細な説明】
【０００１】
【発明の属する技術分野】
本発明は、ゲージ盤で発生した静電気を放電する放電手段を備えたパチンコ機に関する。
【０００２】
【従来の技術】
従来のパチンコ機では、発射された打球がゲージ盤（Ｇ盤）上に形成されたセル板と接触することにより、Ｇ盤上に設けられたバンド（外バンド、内バンド）に静電気が帯電する。
【０００３】
バンドに静電気が帯電すると、パチンコ機内部の制御回路基板にノイズが飛び、制御の誤作動やパチンコ機の故障が発生する問題があり、このことは、パチンコ機の制御が複雑になる近年のパチンコ機では顕著であった。
【０００４】
かかる問題を解決するために、従来から各ノイズ発生源（静電気発生箇所）から配線等でアースしたりする方法により放電していた。
【０００５】
ところが、ノイズ発生源の場所によっては、グラウンド（ＧＮＤ）から遠く、アースを取るのが困難な場合があるという別の問題があった。
【０００６】
【発明が解決しようとする課題】
そこで、本発明は、上記事実を考慮し、ノイズ発生場所によらず容易にアースすることができるパチンコ機を提供することを課題とする。
【０００７】
【課題を解決するための手段】
請求項１に記載のパチンコ機では、遊技球が打ち込まれる表面側にセル板が取り付けられたゲージ盤と、前記ゲージ盤が嵌め込まれるゲージ盤保持枠と、前記ゲージ盤保持枠に設けられ前記ゲージ盤が取り付けられるベース部材と、を有するパチンコ機であって、前記ベース部材を導電性部材で成形し、前記ゲージ盤に遊技球と前記セル板との摩擦により発生した静電気を前記ベース部材に伝達する伝達手段を設け、前記伝達手段は、前記ゲージ盤に前記セル板と接続して設けられ、前記打ち込まれた遊技球をゲージ盤の遊技部に誘導する導電性部材で形成されたバンドと、導電性部材で形成され、前記バンドと接続するとともに前記ゲージ盤を前記ベース部材に取り付ける取付手段と、で構成されたことを特徴とする。
【０００８】
次に、請求項１に記載のパチンコ機の作用効果について説明する。
【０００９】
セル板が取り付けられたゲージ盤は、ベース部材に取り付けられ、ゲージ盤保持枠に嵌め込まれる。
【００１０】
ところで、ゲージ盤に遊技球が打ち込まれると、遊技球とセル板との摩擦により静電気が発生する。この静電気は、例えばゲージ盤上のバンド等に帯電すると、ゲージ盤に設けられた役物等の動作やセンター表示部等の制御に悪影響を及ぼすため、放電（アース）する必要がある。
【００１１】
そこで、本発明では、ベース部材を導電性部材で成形しているため、ゲージ盤上で発生した静電気を伝達手段によりベース部材に伝達することができる。また、伝達手段は、ゲージ盤にセル板と接続して設けられ、打ち込まれた遊技球をゲージ盤の遊技部に誘導する導電性部材で形成されたバンドと、導電性部材で形成され、バンドと接続するとともにゲージ盤をベース部材に取り付ける取付手段と、で構成することにより、バンドに帯電した静電気を取付手段によりベース部材を介して放電できる。本発明では、伝達手段を特に「バンド」と「取付手段」という構成にすることにより、ゲージ盤に設けられた既存の部材（部品）を静電気の伝達手段として有効に利用することができる。このため、伝達手段として他の部材（部品）を別途ゲージ盤に設ける必要がないため、ゲージ盤に取り付ける部品の部品点数の増加を防止でき、ゲージ盤の組立工数及びそれに伴なうコスト高を防止できる。なお、「バンド」とは、外バンド及び内バンドを意味するが、外バンドが好ましい。これにより、静電気がゲージ盤に設けられた役物等の動作やセンター表示部等の制御に悪影響を及ぼすことを防止できる。
【００１２】
なお、ベース部材に伝達された静電気は、パチンコ機が取り付けられている飾り台（島）を介してグランドに放電される。
【００１３】
請求項２に記載のパチンコ機では、前記ベース部材は、前記ゲージ盤保持枠の略全体に亘って設けられていることを特徴とする。
【００１４】
次に、請求項２に記載のパチンコ機の作用効果について説明する。
【００１５】
ベース部材は、ゲージ盤保持枠の略全体に亘って設けられているため、伝達手段からベース部材に伝達された静電気は、ベース部材全体から放電することができる。このため、ゲージ盤のいかなる場所で発生する静電気であっても、容易かつ確実にアースすることができる。すなわち、ゲージ盤上で発生する静電気が場所によってはアースしにくくなるという従来の問題を解決することができる。
【００２２】
請求項３に記載のパチンコ機では、前記バンドは、導電性の伸縮手段を介して前記取付手段に接続していることを特徴とする。
【００２３】
次に、請求項３に記載のパチンコ機の作用効果について説明する。
【００２４】
バンドはゲージ盤にピンにより固定される。しかし、このバンドの取付けには誤差が生ずる場合があり、誤差が生じた場合には、バンドと取付手段との接続が外れる等といった不具合が生ずる。
【００２５】
そこで、本発明では、バンドが導電性の伸縮手段を介して取付手段と接続しているため、バンドの取付けに誤差が生じた場合でも、この誤差を伸縮手段により吸収することができる。このため、バンドの取付誤差がバンドと取付手段との接続に悪影響を及ぼすことがなく、ゲージ盤で発生した静電気をベース部材に確実に伝達することができる。
【００２６】
請求項４に記載のパチンコ機では、前記取付手段は、前記ゲージ盤に設けられたリテーナーと、前記ベース部材に設けられ、前記リテーナーを固定するハンドルと、で構成されたことを特徴とする。
【００２７】
次に、請求項４に記載のパチンコ機の作用効果について説明する。
【００２８】
取付手段は、ゲージ盤に設けられたリテーナーと、ベース部材に設けられ、リテーナーを固定するハンドルと、で構成されたことが好ましい。
【００２９】
取付手段を「リテーナー」と「ハンドル」という構成にすることにより、ゲージ盤及びベース部材に設けられた既存の部材（部品）を取付手段として有効に利用することができる。このため、取付手段として他の部材（部品）を別途ゲージ盤及びベース部材に設ける必要がないため、ゲージ盤及びベース部材に取り付ける部品の部品点数の増加を防止でき、ゲージ盤及びベース部材の組立工数及びそれに伴なうコスト高を防止できる。
【００３０】
請求項５に記載のパチンコ機では、前記ベース部材は、導電性樹脂で形成されたことを特徴とする。
【００３１】
次に、請求項５に記載のパチンコ機の作用効果について説明する。
【００３２】
ベース部材は、導電性樹脂で形成することにより、一体成形することができる。このため、ベース部材の製造が容易になり、製造コストの増加を低減できる。
【００３３】
なお、導電性樹脂として、例えば、トヨラックパレル（登録商標）が好ましい。
【００３４】
【発明の実施の形態】
以下、添付図面を参照して、本発明の一実施形態に係るパチンコ機について説明する。
【００３５】
先ず、パチンコ機の全体構成について説明する。
【００３６】
図１及び図２に示すように、パチンコ機１０は、窓部を有した額縁状のゲージ盤保持枠としての前枠（内枠）１２を備えている。この前枠１２の一側部は、外枠１４に開閉可能に取り付けられている。
【００３７】
上記窓部には金枠１６が設けられており、この金枠１６にはガラス１８を装着したガラス枠２０が開閉可能に取り付けられている。
【００３８】
また、外枠１４及びガラス枠２０は、前枠１２の他側部に配設された施錠装置２２により施錠されるようになっている。
【００３９】
ガラス枠２０の下方位置には、上皿２４を設けたフロントプレート２６等からなる上受皿セット２８が開閉可能に取り付けられている。
【００４０】
また、前枠１２の下方部分には、下皿３０や灰皿３１を設けた下受皿セット３２が配設されている。
【００４１】
さらに、下受皿セット３２の前面右側部には、図示しない打球発射装置により遊技部３８（図４参照）に打ち込む遊技球の飛距離を調整するための操作グリップ６０が設けられている。
【００４２】
図４に示すように、前枠１２の窓部には、窓部を塞ぐように、ゲージ盤（Ｇ盤）３４が嵌め込まれる。
【００４３】
このゲージ盤３４は、ブナ材、合板等で形成された遊技盤３６の表面に所定のデザインが描かれたセル板４２を取付け、このセル板４２上に複数の遊技釘７０、始動口４４や各種入賞具４６、風車４８、可変表示装置４０や変動入賞装置等の各種役物、各種表示灯を取り付けて構成されている。
【００４４】
なお、遊技盤３６の最下位置には、アウト口５２が形成されている。
【００４５】
また、遊技盤３６には遊技球（図示省略）を遊技部３８に誘導する金属製の外バンド５０がピン５４により取り付けられており、また、遊技部３８を区画する金属製の内バンド５６がピンにより取り付けられている。
【００４６】
また、ゲージ盤３４の裏面には、可変表示装置４０や変動入賞装置等の各種役物の動作を制御する制御回路基板（図示省略）等の電子部品が取り付けられている。
【００４７】
ここで、図４に示すように、ゲージ盤３４の一側端部の上側と下側には、金属製の上側リテーナー５８と下側リテーナー６２が設けられている。各リテーナー５８、６２の略中央部には後述の上側ハンドル７２及び下側ハンドル７４（いずれも金属製、図３参照）が挿通する開口部６４が形成されている。
【００４８】
なお、ゲージ盤３４には、下側リテーナー６２を覆う蓋部６６が開閉可能に取り付けられている。
【００４９】
また、図５に示すように、上記した外バンド５０の一端５０Ａは伸縮可能なバネ形状（伸縮手段）に形成されており、このバネ状の一端５０Ａがゲージ盤３４に設けられた上側リテーナー５８に接続されている。
【００５０】
これにより、外バンド５０の遊技盤３６に対する取付誤差が生じた場合には、その取付誤差をバネ状の一端５０Ａで吸収することができるため、外バンド５０と上側リテーナー５８との接続が外れたりする等の悪影響を回避できる。
【００５１】
なお、外バンド５０の一端をバネ状に形成する場合の他、外バンド５０の一端を別途設けた導電性の伸縮手段としてのコイルバネ（図示省略）を介して上側リテーナー５８に接続してもよい。
【００５２】
一方、図２及び図３に示すように、前枠１２の内側には、嵌め込まれたゲージ盤３４の電子部品をカバーするためのベース部材６８が取り付けられている。このベース部材６８は前枠１２の裏面全体に亘って取り付けられている。このベース部材６８は、導電性樹脂で成形されている。
【００５３】
なお、ベース部材６８は、導電性樹脂で成形される他、金属等で成形されていてもよい。
【００５４】
図３に示すように、ベース部材６８には、ゲージ盤３４に形成された上側リテーナー５８及び下側リテーナー６２の開口部６４に挿通する金属製の上側ハンドル７２及び下側ハンドル７４がそれぞれ設けられている。
【００５５】
すなわち、図７に示すように、上側ハンドル７２及び下側ハンドル７４は、上側リテーナー５８及び下側リテーナー６２の開口部６４を挿通するハンドル本体７６と、ベース部材６８内部に位置する軸部７８と、で構成されており、ベース部材６８に対して軸部７８が回転することにより、上側ハンドル７２及び下側ハンドル７４がベース部材６８に対して回転するように構成されている。なお、図７では、上側ハンドル７２の構成のみを図示している。
【００５６】
図６及び図７に示すように、ゲージ盤３４は、上側リテーナー５８及び下側リテーナー６２の開口部６４にハンドル本体７６を挿通させ、各ハンドル７２、７４を回転させて上側リテーナー５８及び下側リテーナー６２を固定することにより、ベース部材６８に取り付けられる。なお、図６では、上側ハンドル７２及び上側リテーナー５８の構成のみを図示している。
【００５７】
また、ゲージ盤３４がベース部材６８に取り付けられた状態では、各リテーナー５８、６２と各ハンドル７２、７４とが接触している。
【００５８】
次に、パチンコ機１０の作用及び効果について説明する。
【００５９】
先ず、ゲージ盤３４が前枠１２に嵌め込まれる。
【００６０】
このとき、図６及び図７に示すように、ゲージ盤３４の上側リテーナー５８の開口部６４に上側ハンドル７２のハンドル本体７６が挿通され、ハンドル本体７６を図６中矢印Ａ方向に回転させる。また、図示しないが、ゲージ盤３４の下側リテーナー６２の開口部６４に下側ハンドル７４のハンドル本体が挿通され、ハンドル本体を同様に回転させる。これにより、ゲージ盤３４がベース部材６８に取り付けられ、前枠１２に嵌め込まれる。
【００６１】
ここで、ゲージ盤３４がベース部材６８に取り付けられた状態では、各リテーナー５８、６２と各ハンドル７２、７４が接触し、また、各ハンドル７２、７４がベース部材６８と接触している。
【００６２】
このように、ゲージ盤３４がベース部材６８に取り付けられた状態では、セル板４２、外バンド５０、上側リテーナー５８、上側ハンドル７２及びベース部材６８が接続した状態にあり、これらが一つの導電性部材として機能する。
【００６３】
上記のように組み立てられたパチンコ機１０の操作グリップ６０を遊技者が回転させると、打球発射装置から遊技球が発射される。
【００６４】
打球発射装置から発射された遊技球は、外バンド５０に誘導されて遊技部３８に到達する。遊技部３８に到達した遊技球は、複数の遊技釘７０に接触して遊技部３８を落下していく。
【００６５】
ここで、遊技球が遊技部３８を落下していくと、遊技球がセル板４２と摩擦することによりゲージ盤３４に静電気が発生する。
【００６６】
ゲージ盤３４で発生した静電気は、外バンド５０に帯電する。外バンド５０に帯電した静電気は上側リテーナー５８を介して、上側ハンドル７２に伝達する。そして、静電気は、上側ハンドル７２からベース部材６８に伝達される。ベース部材６８に伝達した静電気は、図示しない電源モジュールを介してパチンコ機１０の島（図示省略）からグランドに放電される。
【００６７】
以上のように、本発明では、ゲージ盤３４に発生した静電気をアースすることができるため、静電気が制御回路基板等の電子部品に悪影響を与えることを防止できる。
【００６８】
特に、ベース部材６８は、ゲージ盤３４の全体に亘って設けられているので、ベース部材６８の表面積も大きくなり、ゲージ盤３４のいかなる場所で発生する静電気であっても、全てベース部材６８に伝達され、ベース部材６８から容易、かつ効率的にアースすることができる。
【００６９】
また、静電気をグランドにアースする手段として、外バンド５０、上側リテーナー５８、上側ハンドル７２、ベース部材６８を用いることにより、既存の部材を有効に利用することができる。このため、静電気のアース用に別途新たな部材をゲージ盤３４に取り付ける必要がなく、部品点数及び組立工数の増加を防止し、ひいてはコスト高を防止することができる。
【００７０】
次に、本発明の別の実施形態について、以下に説明する。
【００７１】
近年のパチンコ機の遊技球の発射装置は、モーター、あるいはソレノイドを使用しているが、どちらのアクチュエーターを使用しても電磁波ノイズが発生する。
【００７２】
しかし、発射装置のベース板を伝達手段としての金属板（図示省略）で構成し、上記ベース部材６８にネジにより固定することにより、金属板とベース部材６８とがシールドとなり、静電気がゲージ盤３４の裏面に取り付けられた制御回路基板等の電子部品に悪影響を与えることを防止できる。
【００７３】
また、上記シールド効果により、パチンコ機１０の前面側からの不正行為（電波ゴト）も減少させ、裏面側の制御基板の誤作動を防止することができる。
【００７４】
【発明の効果】
本発明のパチンコ機によれば、ゲージ盤上のノイズ発生場所によらず容易にアースすることができる。
【図面の簡単な説明】
【図１】本発明の一実施形態に係るパチンコ機の斜視図である。
【図２】本発明の一実施形態に係るパチンコ機を構成する前枠、ガラス枠及び上受け皿セットが開かれた状態を示す斜視図である。
【図３】本発明の一実施形態に係るパチンコ機のゲージ盤を外した状態の正面図である。
【図４】本発明の一実施形態に係るパチンコ機のゲージ盤の正面図である。
【図５】本発明の一実施形態に係るパチンコ機の外バンドとリテーナーとの接続状態を示した状態図である。
【図６】ハンドルの動作を示す正面図である。
【図７】ハンドルの動作を示す断面図である。
【符号の説明】
１０        パチンコ機
１２        前枠（ゲージ盤保持枠）
３４        ゲージ盤
４２        セル板
５０        外バンド（バンド）
５８        上側リテーナー（リテーナー）
６８        ベース部材
７２        上側ハンドル（ハンドル）
【図１】
0003844979.tif 000002
【図２】
0003844979.tif 000003
【図３】
0003844979.tif 000004
【図４】
0003844979.tif 000005
【図５】
0003844979.tif 000006
【図６】
0003844979.tif 000007
【図７】
0003844979.tif 000008